(57)【特許請求の範囲】
【請求項１】
２つのソケット対の各々に蛍光灯を装着することにより２つの蛍光灯を相互に直列に接続した関係となし、フィラメント加熱回路によって上記２対の各ソケットの各々に加熱電圧を印加して上記２つの蛍光灯のフィラメントを加熱し、点灯回路によって上記２つの蛍光灯のソケット対の間に点灯電圧を印加することによって上記２つの蛍光灯を点灯させるようにした蛍光灯器具において、
上記２つのうちの一方の蛍光灯のソケット対の間に該一方の蛍光灯と並列に接続され、直流抵抗成分の小さい通電回路と、
電源から上記フィラメント加熱回路及び点灯回路への通電をＯＮ・ＯＦＦ操作するための操作スイッチと、
上記２つのうちの一方の蛍光灯の点灯回路及び／又はフィラメント加熱回路を開閉する第１のスイッチング手段と、
上記通電回路を開閉する第２のスイッチング手段と、
上記操作スイッチのＯＮ操作に応動して上記第１のスイッチング手段の閉成動作と開成動作とを反転させるとともに上記第２のスイッチング手段の開成動作と閉成動作とを反転させるフリップフロップ回路及び保持した充電電圧によって上記フリップフロップ回路に反転動作をさせるコンデンサを含んで構成され、上記操作スイッチの第１のＯＮ操作時には上記フリップフロップ回路によって上記第１のスイッチング手段を閉成し上記第２のスイッチング手段を開成することによって上記２つの蛍光灯を点灯させる一方、上記操作スイッチの第１のＯＮ操作後のＯＦＦ操作からコンデンサの放電によって決まる所定の時間内に上記操作スイッチの第２のＯＮ操作が行われた時に上記フリップフロップ回路によって上記第１のスイッチング手段を開成し上記第２のスイッチング手段を閉成することによって上記２つのうちの一方の蛍光灯を消灯させかつ他方の蛍光灯を点灯させる点灯制御回路と、
を備えたことを特徴とする蛍光灯器具。
【請求項２】
２つのソケット対の各々に蛍光灯を装着することにより２つの蛍光灯を相互に直列に接続した関係となし、フィラメント加熱回路によって上記２対の各ソケットの各々に加熱電圧を印加して上記２つの蛍光灯のフィラメントを加熱し、点灯回路によって上記２つの蛍光灯のソケット対の間に点灯電圧を印加することによって上記２つの蛍光灯を点灯させるようにした蛍光灯器具において、電源から上記フィラメント加熱回路及び点灯回路への通電をＯＮ・ＯＦＦ操作するための操作スイッチのＯＮ操作に応動して上記２つのうちの一方の蛍光灯を消灯させることができるようにした点灯制御装置であって、
クリップによって上記２対のうちの一方の蛍光灯のソケット対の間に該一方の蛍光灯と並列接続し得るように設けられ、直流抵抗成分の小さい通電回路と、
クリップによって上記一方の蛍光灯の点灯回路及び／又はフィラメント加熱回路の途中に接続可能に設けられ、該点灯回路及び／又はフィラメント加熱回路を開閉する第１のスイッチング手段と、
上記通電回路を開閉する第２のスイッチング手段と、
上記操作スイッチのＯＮ操作に応動して上記第１のスイッチング手段の閉成動作と開成動作とを反転させるとともに上記第２のスイッチング手段の開成動作と閉成動作とを反転させるフリップフロップ回路及び保持した充電電圧によって上記フリップフロップ回路に反転動作をさせるコンデンサを含んで構成され、上記操作スイッチの第１のＯＮ操作時には上記フリップフロップ回路によって上記第１のスイッチング手段を閉成し上記第２のスイッチング手段を開成することによって上記２つの蛍光灯を点灯させる一方、上記操作スイッチの第１のＯＮ操作後のＯＦＦ操作からコンデンサの放電によって決まる所定の時間内に上記操作スイッチの第２のＯＮ操作が行われた時に上記フリップフロップ回路によって上記第１のスイッチング手段を開成し上記第２のスイッチング手段を閉成することによって上記２つのうちの一方の蛍光灯を消灯させかつ他方の蛍光灯を点灯させる点灯制御回路と、
を備えたことを特徴とする蛍光灯器具の点灯制御装置。
【発明の詳細な説明】
【技術分野】
【０００１】
本発明は二灯直列逐次始動形の蛍光灯器具に関し、特に二灯直列逐次始動形において操作スイッチの操作によって簡単かつ確実に一灯のみを点灯させて省電力を図ることのできるようにした器具に関する。
【背景技術】
【０００２】
オフィス、店舗、工場等では天井に多数の二灯用蛍光灯器具を取付けて室内全体を照明することがよく行われている。この二灯用蛍光灯器具には並列式と直列式とがあるが、性能及び価格の点で優れている直列式が普及しているのが実情である。
【０００３】
最近、省エネルギーが叫ばれ、照明器具に関しても、昼間等のように二灯による明るい照明を必要としないときには一灯を消灯して省電力を図ることが行われているが、直列式の二灯用蛍光灯器具では一灯を外すと、残りの一灯も消灯してしまう。
【０００４】
これに対し、通常の蛍光灯に代え、対向する２つの接続端子の間に直流抵抗成分の小さい通電手段を接続したダミー管を用い、残った一灯を点灯させるようにした蛍光灯器具が提案されている（特許文献１、特許文献２、特許文献３）。
【０００５】
また、壁面に設けたスイッチのＯＮ・ＯＦＦ操作の回数をカウントし、操作回数によって蛍光灯のバイメタル式のスターターの作動を許容し停止するようにした蛍光灯器具が提案されている（特許文献４）。
【０００６】
【特許文献１】特開昭和５３−４５０７１号公報
【特許文献２】実開昭５６−１３０２９６号公報
【特許文献３】特開２０００−２０８２３８号公報
【特許文献４】特開２００３−１４２２７９号公報
【発明の開示】
【発明が解決しようとする課題】
【０００７】
しかし、特許文献１〜３記載の蛍光灯器具ではダミー管を用いるようにしているので、夜間など、明るい照明を必要とするときにはダミー管を通常の蛍光灯に交換しなければならず、煩雑であった。
【０００８】
他方、特許文献４記載の蛍光灯器具では壁面スイッチの操作を繰り返すことによって二灯点灯と一灯点灯を切り換えることができるものの、バイメタル式のスターターを備えた二灯式の蛍光灯器具であり、二灯直列逐次始動形の蛍光灯器具にはそのまま適用できない。
【０００９】
本発明は、かかる問題点に鑑み、二灯直列逐次始動形において操作スイッチの操作によって簡単かつ確実に一灯のみを点灯させて省電力を図ることのできるようにした蛍光灯器具を提供することを課題とする。
【課題を解決するための手段】
【００１０】
そこで、本発明に係る蛍光灯器具は、２つのソケット対の各々に蛍光灯を装着することにより２つの蛍光灯を相互に直列に接続した関係となし、フィラメント加熱回路によって上記２対の各ソケットの各々に加熱電圧を印加して上記２つの蛍光灯のフィラメントを加熱し、点灯回路によって上記２つの蛍光灯のソケット対の間に点灯電圧を印加することによって上記２つの蛍光灯を点灯させるようにした蛍光灯器具において、上記２つのうちの一方の蛍光灯のソケット対の間に該一方の蛍光灯と並列に接続され、直流抵抗成分の小さい通電回路と、電源から上記フィラメント加熱回路及び点灯回路への通電をＯＮ・ＯＦＦ操作するための操作スイッチと、上記２つのうちの一方の蛍光灯の点灯回路及び／又はフィラメント加熱回路を開閉する第１のスイッチング手段と、上記通電回路を開閉する第２のスイッチング手段と、上記操作スイッチのＯＮ操作に応動し、上記操作スイッチの第１のＯＮ操作時には上記第１のスイッチング手段を閉成し上記第２のスイッチング手段を開成することによって上記２つの蛍光灯を点灯させる一方、上記操作スイッチの第２のＯＮ操作時には上記第１のスイッチング手段を開成し上記第２のスイッチング手段を閉成することによって上記２つのうちの一方の蛍光灯を消灯させかつ他方の蛍光灯を点灯させる点灯制御回路と、
を備えたことを特徴とする。
【００１１】
本発明の特徴の１つは二灯直列逐次始動形の蛍光灯器具において一方の蛍光管のソケット間を直流抵抗成分の小さい通電手段で並列に接続し、操作スイッチのＯＮ操作に応動して第１、第２のスイッチング手段を動作させて二灯を点灯させ、次のＯＮ操作によって第１、第２のスイッチング手段を反転動作させ、一方の蛍光灯の点灯回路及び／又はフィラメント加熱回路を開成して該一方の蛍光灯を消灯させ、残りの蛍光管のみを点灯させるようにした点にある。
【００１２】
これにより、操作スイッチのＯＮ操作を繰り返すことによって二灯点灯と一灯点灯を切り換えることができ、特許文献１〜３記載の蛍光灯器具のようにダミー管と蛍光灯とを交換するという煩雑な作業をなくすことができる。
【００１３】
また、二灯点灯時には十分に明るい照明を行うことができ、一灯点灯時には全体として消費電力をカットして省エネルギーを図ることができる。
【００１４】
通電回路は該回路における無駄な電力消費を低減すべく、直流抵抗成分の小さいものであることが肝要である。具体的には、通電回路はソケット対の間に接続される導体と、導体の途中に接続されて該導体に流れる電流を制限するコンデンサ、抵抗及び／又はリアクトルとから構成することができる。この場合、コンデンサの容量や抵抗の値を適宜設定することにより、点灯した蛍光灯に流れる電流を任意に設定でき、これにより消費電力を大幅にカットすることもできるとともに、蛍光灯の照度を自由に調整できる。
【００１５】
また、単に操作スイッチの第１のＯＮ操作で二灯点灯、第２のＯＮ操作で一灯点灯を行うようにしてもよいが、二灯点灯を行った後消灯し、次に操作スイッチをＯＮ操作した時には操作スイッチの操作が第２のＯＮ操作となり、一灯点灯状態となってしまい、蛍光灯が傷んだ、いわゆる球切れになっているとの誤解を与えるおそれがある。
【００１６】
そこで、二灯点灯を行い消灯した後、一定の時間内に次に操作スイッチをＯＮ操作した時にのみ操作スイッチの操作を第２のＯＮ操作とすると、消灯の状態で最初に操作スイッチをＯＮ操作すると、二灯が点灯し、上述のような誤解を与えるおそれを解消できる。
【００１７】
即ち、点灯制御回路は、操作スイッチの第１のＯＮ操作後のＯＦＦ操作から所定の時間内に操作スイッチの第２のＯＮ操作が行われた時にのみ、第１のスイッチング手段を開成し第２のスイッチング手段を閉成するように構成されるのが好ましい。
【００１８】
さらに、省電力のために１本の蛍光灯のみを点灯させると、照明が暗くなる。そこで、蛍光灯の背後に反射板を設け、照度をアップさせるようにするのが好ましい。
【００１９】
反射板はどのように支持してもよく、又どのような形状のものでもよい。例えば、反射板にホルダーを取付け、ホルダーを蛍光灯に抱きつかせて反射板を蛍光灯に支持するようにしてもよいが、蛍光灯の外形に応じて多種類のホルダーを必要とし、又ホルダーが蛍光灯の外面に現れて見栄えの点で好ましくない。
【００２０】
他方、蛍光灯背後のかさ部に反射板を取付けるようにしてもよいが、かさ部には種々な形状があり、反射板を所望の方向に向けてかさ部に取付けることができない場合もある。
【００２１】
そこで、反射板の断面を第１ないし第６の直線辺からなる非対称角状となし、反射板の内面を鏡面処理し、蛍光灯背後のかさ部に対してほぼ平行な直線辺を有するようにかさ部に取付けるのがよい。含む外面を上記蛍光灯背後のかさ部に取付可能となす一方、
【００２２】
また、反射板の断面を第１ないし第６の直線辺からなる非対称角状にすると、蛍光灯背後のかさ部がトラフ型、逆富士型、埋め込み型等、どのような形状であっても、非対称角状のいずれかの直線辺を選択することによって反射板を所望の方向に向けて蛍光灯のかさ部に取付けることができる。
【００２３】
反射板はねじや金具を用いて蛍光灯背後のかさに取付けるようにしてもよいが、反射板の外面の任意の部位に磁石体を接着剤や粘着剤で取付け、該磁石体を既設の蛍光灯背後のかさに磁着させて取付けるようにするのがよい。例えば、反射板の基材をアルミ系合金で製作し、その内面を鏡面処理を行う一方、反射板に磁石体を接着剤又は粘着剤で取付け、磁石体によって蛍光灯背後のかさ部に取付けるようにすることができる。鏡面処理は例えば研磨処理でもよく、又適切な材料（例えば、チタンやシリコン等）を用い、公知の方法でコーティングするようにしてもよい。
【００２４】
また、上述の通電回路、第１、第２のスイッチング手段、点灯制御回路によって点灯制御装置を構成し、既存の蛍光灯器具に適用すると、同様に二灯点灯と一灯点灯を操作スイッチのＯＮ操作によって切り換えることができる。
【００２５】
即ち、本発明に係る蛍光灯器具の点灯制御装置は、２つのソケット対の各々に蛍光灯を装着することにより２つの蛍光灯を相互に直列に接続した関係となし、フィラメント加熱回路によって上記２対の各ソケットの各々に加熱電圧を印加して上記２つの蛍光灯のフィラメントを加熱し、点灯回路によって上記２つの蛍光灯のソケット対の間に点灯電圧を印加することによって上記２つの蛍光灯を点灯させるようにした蛍光灯器具において、電源から上記フィラメント加熱回路及び点灯回路への通電をＯＮ・ＯＦＦ操作するための操作スイッチのＯＮ操作に応動して上記２つのうちの一方の蛍光灯を消灯させることができるようにした点灯制御装置であって、クリップによって上記２対のうちの一方の蛍光灯のソケット対の間に該一方の蛍光灯と並列接続し得るように設けられ、直流抵抗成分の小さい通電回路と、クリップによって上記一方の蛍光灯の点灯回路及び／又はフィラメント加熱回路の途中に接続可能に設けられ、該点灯回路及び／又はフィラメント加熱回路を開閉する第１のスイッチング手段と、上記通電回路を開閉する第２のスイッチング手段と、上記操作スイッチのＯＮ操作に応動し、上記操作スイッチの第１のＯＮ操作時には上記第１のスイッチング手段を閉成し上記第２のスイッチング手段を開成することによって上記２つの蛍光灯を点灯させる一方、上記操作スイッチの第２のＯＮ操作時には上記第１のスイッチング手段を開成し上記第２のスイッチング手段を閉成することによって上記２つのうちの一方の蛍光灯を消灯させかつ他方の蛍光灯を点灯させる点灯制御回路と、を備えたことを特徴とする。
【００２６】
この場合も、二灯点灯を行い消灯した後、一定の時間内に次に操作スイッチをＯＮ操作した時にのみ操作スイッチの操作を第２のＯＮ操作とするように構成するのがよい。
【発明を実施するための最良の形態】
【００２７】
以下、本発明を図面に示す具体例に基づいて詳細に説明する。図１ないし図３は本発明に係る蛍光灯器具の好ましい実施形態を示す。図において、２０Ａ、２０Ｂはラピッドスタート形の蛍光灯で、蛍光灯２０Ａ、２０Ｂの両端の口金部には２本のコンタクトピンが突設され、蛍光灯２０Ａ、２０Ｂの口金部内にはフィラメント２１が２本のコンタクトピン間を接続して設けられている。
【００２８】
安定器Ｔは変圧器と磁気洩れ変圧器とから構成され、安定器Ｔの１次側コイルにはＡＣ電圧が印加され、２次側コイルの出力端から誘導電圧が取り出され、フィラメント加熱回路２２によって蛍光灯２０Ａ、２０Ｂのコンタクトピンが接続されるソケットＳに印加されるようになっている。
【００２９】
また、蛍光灯２０Ａ、２０Ｂのソケット１０には安定器ＴのＡＣ電圧及び磁気洩れ変圧器の誘導電圧を点灯電圧として印加する点灯回路２３が接続されており、２対のソケット１０の間に蛍光灯２０Ａ、２０Ｂが装着されると、２本の蛍光灯２０Ａ、２０Ｂは相互に直列に接続された関係となる。
【００３０】
一方の蛍光灯２０Ａが装着されるソケット１０の間には通電回路３０が接続され、通電回路３０には直流抵抗成分の小さい電流制限用のコンデンサ及びダイオードが接続されている。
【００３１】
また、点灯回路２３には第３のリレー接点（第１のスイッチング手段）ＲＬ３’が接続され、通電回路３０には第２のリレー接点（第２のスイッチング手段）ＲＬ２’が接続されている。
【００３２】
また、本例の器具には点灯制御回路３１が設けられている。この点灯制御回路３１はＡＣ電源を変圧回路３１Ａで所定の電圧に電圧降下させて電源電圧とし、蛍光灯器具の操作スイッチＳＷのＯＮ操作に応動してフリップフロップ回路が第２、第３のリレーＲＬ２、ＲＬ３の通電・非通電を反転させ、第２のリレー接点ＲＬ２’及び第３のＲＬ３’の開閉を逆転させるようになっている。
【００３３】
蛍光灯２０Ａ、２０Ｂを点灯させる場合、操作スイッチＳＷをＯＮする。すると、最初のＯＮ操作（第１のＯＮ操作）によって点灯制御回路３１では第１のリレーＲＬ１が通電されて第１のリレー接点ＲＬ１’が閉成されてフリップフロップ回路が作動し、フリップフロップ回路の働きによって第３のリレーＲＬ３が通電、第２のリレーＲＬ２が非通電となるので、第３のリレー接点ＲＬ３’が点灯回路２３を閉成し、第２のリレー接点ＲＬ２’が通電回路３０を開成する。
【００３４】
点灯開始時には安定器Ｔの２次側の出力電圧の印加される負回路に回路電流がなければ、安定器Ｔの２次側には高い電圧が発生する。蛍光灯２０Ａ、２０Ｂのフィラメント２１の間は点灯するまでは高インピーダンスであり、負荷回路の電流は少なく、蛍光灯２０Ａ、２０Ｂのフィラメント２１の間には点灯回路２３によって高い点灯電圧が瞬間的に印加され、蛍光灯２０Ａ、２０Ｂが点灯するとともに、蛍光灯２０Ａ、２０Ｂのフィラメント２１にはフィラメント加熱回路２２によって電圧が印加されて加熱電流が流れ、フィラメント２１が加熱されて安定した点灯状態に移行する。
【００３５】
蛍光灯２０Ｂのみを点灯させる場合、２本の蛍光灯２０Ａ、２０Ｂを点灯させ、操作スイッチＳＷをＯＦＦ操作した後、再びＯＮ操作（第２のＯＮ操作）を行う。すると、点灯制御回路３１の第１のリレーＲＬ１が通電されて第１のリレー接点ＲＬ１’が閉成されてフリップフロップ回路が再び作動するが、コンデンサＣ４が所定の電圧に保持されているので、フリップフロップ回路が反転動作を行い、第３のリレーＲＬ３が非通電、第２のリレーＲＬ２が通電となる。
【００３６】
第３のリレーＲＬ３が非通電となり、第３のリレー接点ＲＬ３’が点灯回路２３を開成すると、一方の蛍光灯２０Ａのフィラメント２１にはフィラメント加熱回路２２による加熱電圧も点灯回路２３による点灯電圧も印加されないが、第２のリレー接点ＲＬ２’が通電回路３０を閉成し、通電回路３０に電流が流れるので、他方の蛍光灯２０Ｂのみが点灯することとなる。
【００３７】
ここで、点灯制御回路３１のコンデンサＣ４の容量が十分に大きいと、コンデンサＣ４は一度充電されると、充電を長期にわたって維持し、バッテリーと同様の機能を奏するので、スイッチＳＷをＯＮ操作する度に、二灯点灯と一灯点灯を繰り返すこととなる。
【００３８】
他方、コンデンサＣ４の容量を小さくすると、コンデンサＣ４が充電を保持している間に、操作スイッチＳＷをＯＮ操作すると、二灯点灯と一灯点灯を繰り返すが、操作スイッチＳＷの最初のＯＮ操作後、ＯＦＦ操作してから十分な時間が経過し、コンデンサＣ４が放電されてから、操作スイッチＳＷをＯＮ操作すると、初期状態に戻っているので、前回が二灯点灯か一灯点灯かの点灯状態に関係なく、二灯が点灯することとなる。
【００３９】
本例では操作スイッチＳＷのＯＮ操作に応動して二灯点灯と一灯点灯とが切り換えられるが、一灯のみを点灯させると、蛍光灯器具の全体としての照度が低下する。そこで、一灯点灯される蛍光灯２０Ｂの背後に反射板４０を設けるのがよい。図２及び図３は反射板４０の取付け例を示す図である。反射板４０は例えばアルミ系合金を用い、断面を第１〜第６の６つの直線辺からなる非対称角状となるように製作され、その内面の全面には適当な鏡面材料、例えばシリコンやチタン等がコーティングされている。
【００４０】
反射板４０を取付ける場合、蛍光灯２０Ｂを器具から外し、反射板４０を所望の方向、例えば下方に指向させた状態において、その断面形状における第１〜第６の直線辺のうちから、蛍光灯２０Ｂの背後のかさ部５０、５１の形状に適した１つを選択し、その外面に磁石４１を接着剤又は粘着剤、例えば両面接着テープを用いて固定し、磁石４１を蛍光灯２０Ｂの背後のかさ部５０、５１に磁着させると、反射板４０をセットすることができる。
【００４１】
蛍光灯２０Ｂの背後のかさ部は図２に示されるような逆富士型のかさ部５０でもよく、図３に示されるような埋め込み型のかさ部５１でもよい。
【００４２】
こうして反射板４０をセットすると、蛍光灯２０Ｂから発せられる光のうち、後方に向かう光は各直線辺の面によって下方に向けて乱反射され、蛍光灯２０Ｂから下方に指向する光とともに蛍光灯２０Ｂの下方を全体的に明るく照らし、所望の照度アップ効果が得られる。
【００４３】
図４は第２の実施形態を示し、図において図１と同一符号は同一又は相当部分を示す。本例では点灯制御回路３１の電源をＡＣ電源ではなく、安定器Ｔの２次側からとるようにしている。
【００４４】
なお、上記の例では第１、第２のスイッチング手段としてリレー接点を採用したが、半導体製のスイッチング素子を採用することもできる。
【００４５】
また、上記の例では点灯制御回路３１などを予め搭載した蛍光灯器具としたが、基板上に通電回路３０、点灯制御回路３１及び第２、第３のリレーＲＬ２、ＲＬ３を搭載して点灯制御装置を構成し、通電回路３０の両端及び第３のリレーＲＬ３を公知のクリップを用いて既存の蛍光灯器具の回路に接続するようにしても同様の作用効果を奏する。
【図面の簡単な説明】
【００４６】
【図１】本発明に係る蛍光灯器具の好ましい実施形態における回路構成の１例を示す図である。
【図２】上記実施形態における反射板の取付け例を示す図である。
【図３】上記実施形態における反射板の他の取付け例を示す図である。
【図４】第２の実施形態の回路構成の１例を示す図である。
【符号の説明】
【００４７】
１０      ソケット
２０Ａ、２０Ｂ      蛍光灯
２１      フィラメント
２２      フィラメント加熱回路
２３      点灯回路
３０      通電回路
３１      点灯制御回路
４０      反射板
５０      かさ部
ＲＬ２    第２のリレー接点（第２のスイッチング手段）
ＲＬ３    第３のリレー接点（第１のスイッチング手段）
Ｔ        変圧器
【図１】
0004584153.tif 000002
【図２】
0004584153.tif 000003
【図３】
0004584153.tif 000004
【図４】
0004584153.tif 000005